(57)【要約】【課題】耕耘爪間で爪軸に巻き付く草を切断できるようにする。【解決手段】耕耘爪２付き爪軸３が回転する耕耘部４を覆うロータリカバー５の内側に、耕耘部４の外側から内側に突入して耕耘爪２間で爪軸３に巻き付く草を切断する切断部材６を設ける。【選択図】      図２
2004267159.tif 000002
【特許請求の範囲】
【請求項１】
耕耘爪（２）付き爪軸（３）が回転する耕耘部（４）を覆うロータリカバー（５）の内側に、耕耘部（４）の外側から内側に突入して耕耘爪（２）間で爪軸（３）に巻き付く草を切断する切断部材（６）を設けていることを特徴とするロータリ耕耘機の草巻き付き防止装置。
【請求項２】
前記切断部材（６）は耕耘部（４）の幅方向に間隔をおいて複数個を、ロータリカバー（５）の上カバー（５Ｂ）の内面に着脱自在に取り付けていることを特徴とする請求項２に記載のロータリ耕耘機の草巻き付き防止装置。
【請求項３】
前記切断部材（６）は、耕耘部（４）の径内部に位置する刃先（８ｂ）から径外部に位置する刃元（８ａ）にかけて、耕耘爪（２）回転方向先行側から後行側に傾斜した切断刃部（８）を有することを特徴とする請求項１又は２に記載のロータリ耕耘機の草巻き付き防止装置。
【発明の詳細な説明】
【０００１】
【発明の属する技術分野】
本発明は、ロータリ耕耘機の草巻き付き防止装置に関する。
【０００２】
【従来の技術】
この種の従来技術においては、爪軸の軸方向に互いに離間した耕耘爪間に線状部材を架設し、この線状部材で草（蔓、茎、残幹等を含む）が巻き付く爪軸の巻き付き径を大きくして、草の巻き付きを防止している（例えば、特許文献１参照。）。
【０００３】
【特許文献１】
特開平９−１２１６０８号公報
【０００４】
【発明が解決しようとする課題】
前記従来技術の線状部材でもある程度の草の巻き付き防止機能を発揮するが、蓮根の残幹等の長尺の草に対しては除去することが困難なことがあり、線状部材の上から草が巻き付いて、耕深を確保し難い、泥が飛び散る、爪のメンテナンスが困難になる、ロータリ耕耘機の質量が増加してバランスが悪化する、等の不具合が発生することがある。
本発明は、このような従来技術の問題点を解決できるようにしたロータリ耕耘機の草巻き付き防止装置を提供することを目的とする。
【０００５】
本発明は、ロータリカバーの内側に切断部材を設けて、耕耘爪間で爪軸に巻き付く草を切断できるようにしたロータリ耕耘機の草巻き付き防止装置を提供することを目的とする。
【０００６】
【課題を解決するための手段】
本発明における課題解決のための具体的手段は、次の通りである。
第１に、耕耘爪２付き爪軸３が回転する耕耘部４を覆うロータリカバー５の内側に、耕耘部４の外側から内側に突入して耕耘爪２間で爪軸３に巻き付く草を切断する切断部材６を設けていることである。
これによって、切断部材６は爪軸３に巻き付いた草を耕耘爪２間で切断し、巻き付き草による不具合を解消できる。
【０００７】
第２に、前記切断部材６は耕耘部４の幅方向に間隔をおいて複数個を、ロータリカバー５の上カバー５Ｂの内面に着脱自在に取り付けていることである。
これによって、耕耘部４の幅方向複数箇所で草を切断でき、複数の切断部材６をロータリカバー５の内面に簡単に設けることができる。
第３に、前記切断部材６は、耕耘部４の径内部に位置する刃先８ｂから径外部に位置する刃元８ａにかけて、耕耘爪２回転方向先行側から後行側に傾斜した切断刃部８を有することである。
【０００８】
これによって、草の切断がより円滑にできる。
【０００９】
【発明の実施の形態】
以下、本発明の実施の形態を図面に基づいて説明する。
図１〜４において、１はトラクタ１２の後部に３点リンク機構１３を介して装着されたロータリ耕耘機であり、トラクタ１２の後上部の油圧昇降装置１４によって昇降可能になっている。
前記ロータリ耕耘機１は、中央のギヤケース１５から左右にサポートアーム１６を突出し、左サポートアーム１６の左端に伝動ケース１７を、右サポートアーム１６の右端にサイドフレーム１８をそれぞれ設け、伝動ケース１７とサイドフレーム１８の両者の下部間に爪軸３を回転自在に支持している。
【００１０】
前記ギヤケース１５、左右サポートアーム１６、伝動ケース１７及びサイドフレーム１８等によってロータリ機枠２０が構成されており、ギヤケース１５上にはトップリンク連結部２１が形成され、左右サポートアーム１６には前方突出状にロアリンクブラケット（図示せず）が設けられている。
ロータリ機枠２０のトップリンク連結部２１及びロアリンクブラケットは、通常、３点リンク機構１３のトップリンク２２及びロアリンク２３のそれぞれの後端と連結されるが、ここではトップリンク２２及びロアリンク２３の後端にクイックヒッチ２４を連結しており、このクイックヒッチ２４の上下部がトップリンク連結部２１及びロアリンクブラケットとそれぞれ着脱自在に連結されている。
【００１１】
前記爪軸３には軸方向及び周方向に間隔をおいて多数の爪ブラケット２７が固着され、各爪ブラケット２７に耕耘爪２の基部が挿入され、ボルト等の留め具２８によって抜け止めされている。
耕耘爪２付き爪軸３は、横軸廻りに回転することにより耕耘部４を形成することになり、この耕耘部４を覆うロータリカバー５がロータリ機枠２０に装着されている。
ロータリカバー５は、耕耘部４を上方から覆うべくサポートアーム１６、伝動ケース１７及びサイドフレーム１８等に取り付けられた上カバー５Ａと、この上カバー５Ａの後部に横軸状の枢軸を介して後端上下動自在に連結された後カバー５Ｂと、上カバー５Ａ及び後カバー５Ｂの左右側方を覆う側カバー５Ｃとを有する。
【００１２】
前記上カバー５Ａの内面（耕耘部４側の面）には草巻き付き防止装置１０が配置されている。この草巻き付き防止装置１０は、上カバー５Ａの内面に固定の取付け部材７に耕耘部４の幅方向に間隔をおいて複数個の切断部材６を設けて構成されている。
取付け部材７は帯板７Ａに長手方向間隔をおいて複数の固定板７Ｂを垂直に溶着したものであり、上カバー５Ａに対して溶着又はボルト固定されており、切断部材６は前記各固定板７Ｂに着脱自在にボルト固定されていて、耕耘部４の外側から内側に突入している。
【００１３】
この切断部材６は先細りのカッターナイフ形状であり、その先端は草巻き付き防止用線状部材３１に当接しない位置まで突入させてもよいが、耕耘爪２の円弧刃部３０の刃元３０ａ近傍に位置させている。
各切断部材６は爪軸３上の耕耘爪２間に位置し、耕耘爪２間の中央又はその近傍位置が好ましく、耕耘爪２がなた爪でかつ耕耘爪２の間隔が短い場合は、耕耘爪２の爪軸３軸方向の曲がりは、図３の２点鎖線で示す方向から図３実線で示方向、即ち、切断部材６から爪軸３軸方向に離れる方向に変更することが好ましい。
【００１４】
切断部材６は片刃（両刃でもよい）が形成されており、その切断刃部８は爪軸３の中心を通る放射方向に配置してもよいが、先端が爪軸３の前方を指向していて、耕耘部４の径内部に位置する刃先８ｂから径外部に位置する刃元８ａにかけて、耕耘爪２回転方向先行側から後行側に傾斜している。即ち、図２に示すように、切断刃部８は爪軸３の放射線に対して角度Ｅだけ傾斜している。
ロータリ耕耘機１がアッパーカット耕耘をする場合に、なた爪である耕耘爪２は、円弧刃部３０の刃元３０ａ側が先行し刃先３０ｂ側は後行となるので、耕耘爪２に巻き付いた草は、耕耘爪２の刃元３０ａ側で当接して円弧刃部３０を刃先３０ｂ側へ移行しながら切断されることになり、その際、耕耘爪２によって切断できない草は耕耘爪２と同伴移動し、切断部材６の切断刃部８に押し付けられる。
【００１５】
切断刃部８に押し付けられた草は、耕耘爪２の円弧刃部３０によって刃先８ｂ側から刃元８ａ側へ押動され、その際に切断刃部８によって切断される。前記草が刃先８ｂ側から刃元８ａ側へ押動されるとき、切断刃部８に前記傾斜角度Ｅがあると、放射方向に配置している場合よりも押動抵抗を受けることになり、草の逃げが少なくなって、より確実な切断ができることになる。また、切断刃部８は先細り形状であることにより、草等から受ける外力を効率良く逃がすことが可能になっている。
【００１６】
ロータリ耕耘機１をダウンカット耕耘で使用する場合は、前記切断部材６を前後反転して取付け部材７に取り付ける。この取り付けにおいては、切断部材６は先端が爪軸３の後方を指向し、ダウンカット回転する耕耘爪２に対して、耕耘部４の径内部に位置する刃先８ｂから径外部に位置する刃元８ａにかけて、耕耘爪２回転方向先行側から後行側に傾斜することになる。
前記爪軸３には１本又は周方向に変位して複数本の草巻き付き防止用線状部材３１が張設されている。この線状部材３１は、ワイヤ、紐、ロープ等で形成されていて、両端が取付けステー３２に連結されている。取付けステー３２は爪軸３の両端又はその近傍に位置する耕耘爪２に嵌合していて、爪軸３に対して着脱自在に取り付けられており、爪軸３に対する草の巻き付き径を大きくすることにより、草の巻き付きを防止している。
【００１７】
前記線状部材３１は比較的短い草でもその巻き付きを防止するのに対して、前記切断部材６は比較的長い草の巻き付きを防止するのに役立ち、両部材を併用することにより、爪軸３への長短種々の草の巻き付きをより確実に防止できる。
図１において、符号３５はロータリ機枠２０のサポートアーム１６と後カバー５Ｂとの間に設けられた後カバー角度制御手段であり、後カバー５Ｂの角度（下端高さ）を変更したり、均平圧を調整したり、後カバー５Ｂを浮動状態にしたりすることができる。
【００１８】
蓮根収穫後の圃場を耕耘する場合は、後ゲージ輪を使用せず、前記後カバー角度制御手段３５をフリーの浮動状態に設定し、後カバー５Ｂの角度を角度検知手段（図示せず）で検知して、後カバー５Ｂの角度が所要になるようにロータリ耕耘機１を油圧昇降装置１４で昇降するが、圃場条件の違いによって、タイヤの沈み込み量等が変化し、トラクタ１２に対するロータリ耕耘機１の位置が異なることがある。
このように蓮根圃場等の強湿田では、ロータリ耕耘機１を水や泥の中に入り込んで使用するときに、トラクタ１２のロータリ耕耘機１に対する位置が変化し、実際の耕深が分からなくなることがある。
【００１９】
そこで、トラクタ１２に対するロータリ耕耘機１の耕深で変化するトップリンク２２の角度から、おおよその耕深が目視判断できるように、トップリンク２２の前端を連結しているトップリンクブラケット３６に、トップリンク角度視認手段３７が設けられている。
図１、５、６において、トラクタ１２の背面のトップリンク取付け台３８に、特殊３点リンク機構を構成するためのトップリンクブラケット３６がピン及びガタ止め手段を介して連結されており、このトップリンクブラケット３６の後端に視認部材３９がボルト固定されている。
【００２０】
前記視認部材３９はトップリンクブラケット３６に固定の平板３９Ａの上縁に円弧板３９Ｂを固着したものであり、この円弧板３９Ｂはトップリンク２２を連結するピン４０の中心を曲率中心としており、その上面（又は側面でもよい）に角度表示記号（ゲージ）が記載されている。
ピン４０を中心にトップリンク２２が揺動したときに、トップリンク２２の揺動位置に対応する視認部材３９の角度表示記号を見ることにより、トップリンク２２の角度を視認し、それによってロータリ耕耘機１の耕深を推測できるようになる。
【００２１】
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、前記草巻き付き防止装置１０は、取付け部材７を伝動ケース１７及びサイドフレーム１８に装着したり、後カバー５Ｂの内面に装着したりすることも可能であり、取付け部材７を割愛して、切断部材６の基部をＬ字形状にしておいて、複数個の切断部材６を個別にロータリカバー５に対して着脱自在に装着してもよい。
【００２２】
【発明の効果】
以上詳述した本発明によれば、爪軸３に草が巻き付いたとき、その草を切断部材６によって耕耘爪２間で切断でき、巻き付き草による不具合を解消できる。
【図面の簡単な説明】
【図１】本発明の実施の形態を示す全体側面図である。
【図２】要部の断面側面図である。
【図３】要部の背面図である。
【図４】要部の斜視図である。
【図５】トップリンク角度視認手段の側面図である。
【図６】トップリンク角度視認手段の平面図である。
【符号の説明】
１        ロータリ耕耘機
２        耕耘爪
３        爪軸
４        耕耘部
５        ロータリカバー
５Ａ      上カバー
５Ｂ      後カバー
６        切断部材
７        取付け部材
７Ａ      帯板
７Ｂ      固定板
８        切断刃部
８ａ      刃元
８ｂ      刃先
１０      草巻き付き防止装置
Ｅ        切断刃部の傾斜角度
【図１】
2004267159.tif 000003
【図２】
2004267159.tif 000004
【図３】
2004267159.tif 000005
【図４】
2004267159.tif 000006
【図５】
2004267159.tif 000007
【図６】
2004267159.tif 000008